(57)【要約】【課題】携帯無線端末をもう一方の携帯無線端末に格納する構成において、格納された場合のアンテナ性能を確保する。【解決手段】第二携帯無線端末１０２は、端末の側面に第一アンテナ素子１０９が配置され、第一アンテナ素子１０９が配置されている反対側の側面に第二アンテナ素子１１０が配置されている。第二携帯無線端末１０２を第二携帯無線端末格納部１０６に格納する方向を複数選択可能であり、図１に示すとおりＡ、Ｂ、Ｃ、Ｄの方向で格納できる。Ａ、Ｃの方向で格納する場合には、第一アンテナ素子１０９を配置した側面が、第二携帯無線端末取り出し口１１２に面する、又は第二携帯無線端末取り出し口１１２から突出する。Ｂ、Ｄの方向で格納する場合には、第二アンテナ素子１１０を配置した側面が、第二携帯無線端末取り出し口１１２に面する、又は第二携帯無線端末取り出し口１１２から突出する。【選択図】図１
2011228873.tif 000002
【特許請求の範囲】
【請求項１】
第一携帯無線端末と、
第二携帯無線端末と、
前記第一携帯無線端末の筐体に設けられる第二携帯無線端末格納部と、
前記第二携帯無線端末に設けられ、導電性の金属で構成された第一アンテナ素子及び第二アンテナ素子と、を具備し、
前記第二携帯無線端末は、筐体の一部又は全部を前記第二携帯無線端末格納部に格納可能であるとともに、前記第二携帯無線端末格納部の第二携帯無線端末取り出し口を通じて着脱可能であり、
前記第二無線端末格納部に前記第二携帯無線端末を格納する際に、前記第二携帯無線端末取り出し口に面して前記第一アンテナ素子が配置される格納方向Ａと前記第二携帯無線端末取り出し口に面して前記第二アンテナ素子が配置される格納方向Ｂとを選択可能としたことを特徴とするアンテナ装置。
【請求項２】
前記格納方向Ａあるいは前記格納方向Ｂを判別する手段を有し、格納する方向によって前記第一アンテナ素子を使用する第一の無線システムと、前記第二アンテナ素子を使用する第二無線システムを切り替える機能を有する、請求項１記載のアンテナ装置。
【請求項３】
前記第一携帯無線端末が、表示部筐体とキー入力部筐体を回転ヒンジで接続された折りたたみ構造を有し、前記第二アンテナの格納部が、前記キー入力部筐体の下端中央側面部に配置され、前記第二携帯無線端末の左右側面に前記第一アンテナ素子と前記第二アンテナ素子がそれぞれ位置した、請求項１または請求項２記載のアンテナ装置。
【請求項４】
前記第一携帯無線端末が、表示部筐体とキー入力部筐体を回転ヒンジで接続された折りたたみ構造を有し、前記第二アンテナの格納部が、前記キー入力部筐体の下端左右いずれかの側面部に配置され、前記第二携帯無線端末の上下端面に前記第一アンテナ素子と前記第二アンテナ素子がそれぞれ位置した、請求項１または請求項２記載のアンテナ装置。
【請求項５】
前記第一携帯無線端末が、表示部筐体とキー入力部筐体を回転ヒンジで接続された折りたたみ構造を有し、前記第二アンテナの格納部が、前記キー入力部筐体の下端左右いずれかの角部に配置され、前記第二携帯無線端末のいずれかの角部に前記第一アンテナ素子と前記第二アンテナ素子がそれぞれ位置した、請求項１または請求項２記載のアンテナ装置。
【請求項６】
前記第一携帯無線端末に設けられ、導電性の金属で構成された第一近距離無線通信用アンテナ素子と、
前記第二携帯無線端末に設けられ、導電性の金属で構成された第二近距離無線通信用アンテナ素子と、
を具備し、
前記第一携帯無線端末と前記第二携帯無線端末は近距離無線通信手段で接続可能であり、
前記第二無線端末格納部に前記第二携帯無線端末を格納された状態では、
格納方向Ａ及び格納方向Ｂのいずれの場合でも前記第二近距離無線通信用アンテナと第一近距離無線通信用アンテナ素子との距離が同一となるように、前記第二無線端末格納部内に配置される請求項１記載のアンテナ装置。
【請求項７】
第一携帯無線端末と第二携帯無線端末と、
前記第一携帯無線端末の筐体に設けられる第二携帯無線端末格納部と、
前記第二携帯無線端末に設けられ、導電性の金属で構成された第一アンテナ素子と、導電性の金属で構成された第二アンテナ素子とを具備し、
前記第二携帯無線端末は筐体の一部又は全部を前記第二携帯無線端末格納部に格納可能であるとともに、
前記第一携帯無線端末の筐体外側面に取る付け可能であり、
前記第一携帯無線端末の筐体外側面に前記第二携帯無線端末を取り付ける際に、
前記第一携帯無線端末の筐体から離れる側面に前記第一アンテナ素子が配置される取り付け状態Ａと、
前記第一携帯無線端末の筐体から離れる側面に前記第二アンテナ素子が配置される取り付け状態Ｂと、
を選択可能としたことを特徴とするアンテナ装置。
【請求項８】
前記取り付け状態Ａあるいは前記取り付け状態Ｂを判別する手段を有し、格納する方向によって前記第一アンテナ素子を使用する第一の無線システムと、前記第二アンテナ素子を使用する第二無線システムを切り替える機能を有する、請求項７記載のアンテナ装置。
【発明の詳細な説明】
【技術分野】
【０００１】
本発明は、各々が無線通信機能を有する通信機器で、互いに無線通信による接続が可能であり、一方（親機）の中にもう一方（子機）が格納される携帯無線機に関する。
【背景技術】
【０００２】
近年、携帯電話の普及が急速に進み、様々なタイプの携帯電話機が数多く開発されており、スマートフォンと呼ばれる高機能な携帯電話への需要が高まってきている。例えば携帯電話端末と、携帯電話端末を格納することができるモバイルPC型端末を、互いに無線通信で接続可能とし、モバイルＰＣ型端末に携帯電話端末を収納可能とすることで、収納時には携帯電話端末の通信機能を介してモバイルPCとして使用でき、取り外し時には携帯電話端末として使用することができる、新しいスタイルのスマートフォンを提供することができる。
【０００３】
この新たなスマートフォンでは、携帯電話端末を格納した際に、携帯電話端末のアンテナ部がモバイルＰＣ型端末に覆われてしまいアンテナ特性が劣化することが課題となる。
【０００４】
上記のように格納された状態においても高いアンテナ性能を確保する技術として、例えば、特許文献１に開示されているようなアンテナシステムが提案されている。このアンテナシステムは、ＰＣカードスロットに挿入するＰＣカード型無線機において、挿入時にアンテナ部がＰＣ外部に配置することにより、アンテナ性能を確保するものである。
【０００５】
また、近年の携帯電話端末では、端末に搭載すべき無線システム(ＧＰＳ、ワンセグ、Ｂｌｕｅｔｏｏｔｈ、無線ＬＡＮ等)の数が多く必要になっているため、子機側にも複数のアンテナを配置する必要がある。
【０００６】
この場合、複数のアンテナを１箇所にまとめて配置すると、素子間結合等が生じて性能が確保できない課題があり、通常各アンテナ素子は端末の筐体周辺に離散配置される。特に筐体上端や下端、筐体左辺や右辺のように距離を確保して配置することで、性能を確保しつつ複数のアンテナ素子を小さな端末内に内蔵することができる。
【先行技術文献】
【特許文献】
【０００７】
【特許文献１】特開平９−１０７２２８号公報
【発明の概要】
【発明が解決しようとする課題】
【０００８】
しかしながら、携帯電話端末に複数の無線システムを搭載し、複数のアンテナを搭載した場合、携帯電話端末が収納された際に特許文献１のアンテナシステムで複数のアンテナ特性を確保しようとすると、図８の第二携帯無線端末８０１の第一アンテナ素子８０２、第二アンテナ素子８０３のように、格納時に外部に配置される携帯電話端末の端部に複数アンテナを集中して配置しなければならず、アンテナ同士が近接し、アンテナ体積も小さくなり特性が劣化してしまう。また、図９のようにアンテナが近接しないように、例えば携帯電話端末の上下端部にアンテナ素子を配置した場合、特許文献１では挿入方向が１方向のため、格納時に外部に配置される携帯電話端末の端部に配置されたアンテナ以外は特性が確保できないという課題がある。
【０００９】
本発明は、上述した事情に鑑みてなされたものであり、複数のアンテナが搭載された携帯電話端末がモバイルＰＣ型端末に格納された場合において、携帯電話端末に搭載されたアンテナ特性を選択的に確保するものであり、格納時における高いアンテナ性能を実現するものである。
【課題を解決するための手段】
【００１０】
本発明の携帯無線機は、第一携帯無線端末と第二携帯無線端末と、前記第一携帯無線端末の筐体に設けられる第二携帯無線端末格納部と、前記第二携帯無線端末に設けられ、導電性の金属で構成された第一アンテナ素子と、導電性の金属で構成された第二アンテナ素子とを具備し、前記第二携帯無線端末は筐体の一部又は全部を前記第二携帯無線端末格納部に格納可能であるとともに、前記第二携帯無線端末格納部の第二携帯無線端末取り出し口を通じて着脱可能であり、前記第二無線端末格納部に前記第二携帯無線端末を格納する際に、前記第二携帯無線端末取り出し口に面して前記第一アンテナ素子が配置される格納方向Ａと、前記第二携帯無線端末取り出し口に面して前記第二アンテナ素子が配置される格納方向Ｂと、を選択可能とする構成を採る。
【００１１】
この構成によれば、第二携帯無線端末の格納方向によって第一携帯無線端末の外側に配置するアンテナを選択することで、格納時における第二携帯無線端末のアンテナ特性を選択的に確保できる。
【００１２】
また、本発明の携帯無線機は、表示部筐体とキー入力部筐体を回転ヒンジで接続された折りたたみ構造を有し、前記第二携帯無線端末の格納部が、前記キー入力部筐体の下端中央側面部に配置され、前記第二携帯無線端末の左右側面に前記第一アンテナ素子と前記第二アンテナ素子がそれぞれ位置する構成を採る。この構成によれば、第二携帯無線端末の左右側面に配置されたアンテナ特性を選択的に確保することができる。
【００１３】
また、本発明の携帯無線機は、表示部筐体とキー入力部筐体を回転ヒンジで接続された折りたたみ構造を有し、前記第二携帯無線端末の格納部が、前記キー入力部筐体の下端左右いずれかの側面部に配置され、前記第二携帯無線端末の上下端面に前記第一アンテナ素子と前記第二アンテナ素子がそれぞれ位置する構成を採る。この構成によれば、第二携帯無線端末の上下端面に配置されたアンテナ特性を選択的に確保することができる。
【００１４】
また、本発明の携帯無線機は、表示部筐体とキー入力部筐体を回転ヒンジで接続された折りたたみ構造を有し、前記第二携帯無線端末の格納部が、前記キー入力部筐体の下端左右いずれかの角部に配置され、前記第二携帯無線端末のいずれかの角部に前記第一アンテナ素子と前記第二アンテナ素子がそれぞれ位置する構成を採る。この構成によれば、第二携帯無線端末の角部に配置されたアンテナ特性を選択的に確保することができる。
【００１５】
また、本発明の携帯無線機は、第一携帯無線端末に設けられ、導電性の金属で構成された第一近距離無線通信用アンテナ素子と、前記第二携帯無線端末に設けられ、導電性の金属で構成された第二近距離無線通信用アンテナ素子と、を具備し、前記第一携帯無線端末と前記第二携帯無線端末は近距離無線通信手段で接続可能であり、前記第二無線端末格納部に前記第二携帯無線端末を格納された状態では、格納方向Ａ及び格納方向Ｂのいずれの場合でも前記第二近距離無線通信用アンテナ素子と第一近距離無線通信用アンテナ素子との距離が同一となるように、前記第二無線端末格納部内に配置される構成を採る。この構成によれば、いずれの格納方向においても、近距離通信用アンテナ素子同士の距離を一定に確保し、安定した通信を行なうことができる。
【００１６】
また、本発明の携帯無線機は、第一携帯無線端末と第二携帯無線端末と、前記第一携帯無線端末の筐体に設けられる第二携帯無線端末格納部と、前記第二携帯無線端末に設けられ、導電性の金属で構成された第一アンテナ素子と、導電性の金属で構成された第二アンテナ素子とを具備し、前記第二携帯無線端末は筐体の一部又は全部を前記第二携帯無線端末格納部に格納可能であるとともに、前記第一携帯無線端末の筐体外側面に取り付け可能であり、前記第一携帯無線端末の筐体外側面に前記第二携帯無線端末を取り付ける際に、前記第一携帯無線端末の筐体から離れる側面に前記第一アンテナ素子が配置される取り付け状態Ａと、前記第一携帯無線端末の筐体から離れる側面に前記第二アンテナ素子が配置される取り付け状態Ｂと、を選択可能とする構成を採る。この構成によれば、第一携帯無線端末の筐体外側面に前記第二携帯無線端末を取り付け、第一携帯無線端末の筐体から離れる側面にアンテナ素子を選択的に配置することで、第二携帯無線端末のアンテナ特性を選択的に確保できる。
【発明の効果】
【００１７】
本発明の携帯無線機によれば、携帯無線端末を格納することができる第一携帯無線端末に、複数アンテナが搭載された第二携帯無線端末を格納する場合であっても、第二携帯無線端末のアンテナ特性を選択的に確保し、高いアンテナ性能を実現することができる。
【図面の簡単な説明】
【００１８】
【図１】本発明の第１の実施の形態に係る携帯無線機を示す図
【図２】本発明の第２の実施の形態に係る携帯無線機を示す図
【図３】本発明の第３の実施の形態に係る携帯無線機を示す図
【図４】本発明の第４の実施の形態に係る携帯無線機を示す図
【図５】本発明の第４の実施の形態に係る携帯無線機のアンテナ配置を示す図
【図６】本発明の第５の実施の形態に係る携帯無線機を示す図
【図７】本発明の第５の実施の形態に係る携帯無線機における第二携帯無線端末の取り付け方法を示す図
【図８】従来構成の携帯無線機を示す図
【図９】従来構成の携帯無線機を示す図
【発明を実施するための形態】
【００１９】
以下、本発明に係る好適な実施形態を図面に基づいて詳細に説明する。
（第１の実施の形態）
図１は、本発明の実施の形態１に係る携帯無線機１００を示すものである。
【００２０】
携帯無線機１００は、第一携帯無線端末１０１と、第二携帯無線端末１０２から構成される。第一携帯無線端末１０１は、表示部筐体１０３と、キー入力部筐体１０４と、これら表示部筐体１０３とキー入力部筐体１０４とを回転自在に連結するヒンジ部１０５と、第二携帯無線端末１０２を格納する第二携帯無線端末格納部１０６と、第一表示部１０７と、キー入力部１０８と図示しない第一の近距離無線通信部とから構成される。第二携帯無線端末１０２は、導電性の金属で構成された第一アンテナ素子１０９と、導電性の金属で構成された第二アンテナ素子１１０と、第二表示部１１１と図示しないキー入力部と、第二の近距離無線通信部と、第一アンテナ素子１０９に接続された第一無線システムと、第二アンテナ素子１１０に接続された第二無線システムとから構成される。以下に、各構成について詳細に説明する。
【００２１】
第一携帯無線端末１０１と、第二携帯無線端末１０２は、第一、および第二の近距離無線通信部によって相互に通信が可能である。
【００２２】
表示部筐体１０３は、第一表示部１０７を備える。キー入力部筐体１０４は、ヒンジ部１０５と、第二携帯無線端末格納部１０６と、キー入力部１０８を備える。表示部筐体１０３とキー入力部筐体１０４は、ヒンジ部１０５で連結され、回転自在に動作する。
【００２３】
第二携帯無線端末格納部１０６は、キー入力部筐体１０４の下端中央付近に配置されており、キー入力部筐体１０４の下端に面して第二携帯無線端末取り出し口１１２を備える。第二携帯無線端末格納部１０６は、第二携帯無線端末１０２の一部又は全部を格納でき、第二携帯無線端末のいずれかの側面が、第二携帯無線端末取り出し口１１２に面する、又は第二携帯無線端末取り出し口１１２から突出する。
【００２４】
第二携帯無線端末１０２は、端末の側面に第一アンテナ素子１０９が配置され、第一アンテナ素子１０９が配置されている反対側の側面に第二アンテナ素子１１０が配置されている。第二携帯無線端末１０２を第二携帯無線端末格納部１０６に格納する方向を複数選択可能であり、図１に示すとおりＡ、Ｂ、Ｃ、Ｄの方向で格納できる。Ａ、Ｃの方向で格納する場合には、第一アンテナ素子１０９を配置した側面が、第二携帯無線端末取り出し口１１２に面する、又は第二携帯無線端末取り出し口１１２から突出する。Ｂ、Ｄの方向で格納する場合には、第二アンテナ素子１１０を配置した側面が、第二携帯無線端末取り出し口１１２に面する、又は第二携帯無線端末取り出し口１１２から突出する。
【００２５】
以上のように、第１の実施の形態によれば、第二携帯無線端末を第一携帯無線端末に格納することができる携帯無線機において、第二携帯無線端末格納部を第一携帯無線端末のキー入力部筐体の下端中央部に配置し、第二携帯無線端末の第一、および第二アンテナ素子をそれぞれ反対側の側面に配置して、第二携帯無線端末の第一および第二アンテナ素子のいずれかがキー入力部筐体の下端に面する、あるいは突出するように格納方向を選択することによって、第二携帯無線端末が第一携帯無線端末に格納された場合でも、第一および第二アンテナ素子の性能を選択的に確保することができる。また、第二携帯無線端末の第一アンテナ素子と第二アンテナ素子を端末内で離して配置することで、アンテナ間の結合劣化を抑え、端末を取り出して使用する際に、両アンテナの性能を確保することができる。
【００２６】
なお、本実施の形態において、格納方向を判別する手段を設けて、格納する方向によって、第一アンテナ素子１０９に接続された第一無線システムと、第二アンテナ素子１１０に接続された第二無線システムとを切り替える機能を有するものであっても良い。
【００２７】
また、本実施の形態において、第二携帯無線端末格納部１０６は、キー入力部筐体１０４の下端中央付近に配置したが、例えばキー入力部筐体１０４の下端左右いずれかの側面など、筐体の下端、もしくは側面に面していればいずれの場所でも良い。
【００２８】
また、本実施の形態では、第一携帯無線端末１０１と第二携帯無線端末１０２とをそれぞれの近距離無線通信部の無線通信によって接続するものとしたが、コネクタ等を介して有線通信で接続するものとしても良い。
（第２の実施の形態）
次に、本発明の第２の実施の形態について、図２を参照しながら詳細に説明する。図２は、本発明の実施の形態２に係る携帯無線機２００を示すものである。図２において、第１の実施の形態と同一部分には同一符号を付し、その詳しい説明は省略する。
【００２９】
携帯無線機２００は、第一の実施の形態に示す携帯無線機１００において、第二携帯無線端末格納部２０３がキー入力部筐体の下端左右いずれかの側面部に配置され、第二携帯無線端末２０２の上下端面に第一アンテナ素子２０４と第二アンテナ素子２０５を配置したものである。
【００３０】
第一携帯無線端末２０１と、第二携帯無線端末２０２は、第一、および第二の近距離無線通信部によって相互に通信が可能である。
【００３１】
第二携帯無線端末格納部２０３は、キー入力部筐体１０４の下端左右いずれかの側面部に配置されており、キー入力部筐体１０４の側面部に面して第二携帯無線端末取り出し口２０６を備える。第二携帯無線端末格納部２０３は、第二携帯無線端末２０２の一部又は全部を格納でき、第二携帯無線端末のいずれかの上下端面が、第二携帯無線端末取り出し口２０６に面する、又は第二携帯無線端末取り出し口２０６から突出する。
【００３２】
第二携帯無線端末２０２は、端末のいずれかの上下端面に第一アンテナ素子２０４が配置され、第一アンテナ素子２０４が配置されている反対側の端面に第二アンテナ素子２０５が配置されている。第二携帯無線端末２０２を第二携帯無線端末格納部２０３に格納する方向を複数選択可能であり、図２に示すとおりＡ、Ｂの方向で格納できる。Ａの方向で格納する場合には、第一アンテナ素子２０４を配置した端面が、第二携帯無線端末取り出し口２０６に面する、又は第二携帯無線端末取り出し口２０６から突出する。Ｂの方向で格納する場合には、第二アンテナ素子２０５を配置した端面が、第二携帯無線端末取り出し口２０６に面する、又は第二携帯無線端末取り出し口２０６から突出する。
【００３３】
以上のように、第２の実施の形態によれば、第二携帯無線端末を第一携帯無線端末に格納することができる携帯無線機において、第二携帯無線端末格納部を第一携帯無線端末のキー入力部筐体の下端左右いずれかの側面部に配置し、第二携帯無線端末の第一、および第二アンテナ素子をそれぞれ反対側の上下端面に配置して、第二携帯無線端末の第一および第二アンテナ素子のいずれかがキー入力部筐体の側面に面する、あるいは突出するように格納方向を選択することによって、第二携帯無線端末が第一携帯無線端末に格納された場合でも、第一および第二アンテナ素子の性能を選択的に確保することができる。また、第二携帯無線端末の第一アンテナ素子と第二アンテナ素子を端末内で離して配置することで、アンテナ間の結合劣化を抑え、端末を取り出して使用する際に、両アンテナの性能を確保することができる。
【００３４】
なお、本実施の形態において、格納方向を判別する手段を設けて、格納する方向によって、第一アンテナ素子２０４に接続された第一無線システムと、第二アンテナ素子２０５に接続された第二無線システムとを切り替える機能を有するものであっても良い。
【００３５】
また、本実施の形態において、第二携帯無線端末格納部２０３は、キー入力部筐体１０４の下端左右いずれかの側面に配置したが、例えばキー入力部筐体１０４の下端中央部など、筐体の下端、もしくは側面に面していればいずれの場所でも良い。
【００３６】
また、本実施の形態では、第一携帯無線端末２０１と第二携帯無線端末２０２とをそれぞれの近距離無線通信部の無線通信によって接続するものとしたが、コネクタ等を介して有線通信で接続するものとしても良い。
（第３の実施の形態）
次に、本発明の第３の実施の形態について、図３を参照しながら詳細に説明する。図３は、本発明の実施の形態３に係る携帯無線機３００を示すものである。図３において、第１、および第２の実施の形態と同一部分には同一符号を付し、その詳しい説明は省略する。
【００３７】
携帯無線機３００は、第一の実施の形態に示す携帯無線機１００において、第二携帯無線端末格納部３０３がキー入力部筐体の下端左右いずれかの角部に配置され、第二携帯無線端末３０２のいずれかの角部に第一アンテナ素子３０４と第二アンテナ素子３０５を配置し、その対角の角部に第三アンテナ素子３０６と第四アンテナ素子３０７を配置したものである。
【００３８】
第二携帯無線端末３０２は、導電性の金属で構成された第一アンテナ素子３０４、第二アンテナ素子３０５、第三アンテナ素子３０６、第四アンテナ素子３０７と、第二表示部１１１と図示しないキー入力部と、第二の近距離無線通信部と、第一アンテナ素子３０４、第二アンテナ素子３０５、第三アンテナ素子３０６、第四アンテナ素子３０７に接続された第一、第二、第三、第四無線システムとから構成される。
【００３９】
第一携帯無線端末３０１と、第二携帯無線端末３０２は、第一、および第二の近距離無線通信部によって相互に通信が可能である。
【００４０】
第二携帯無線端末格納部３０３は、キー入力部筐体１０４の下端左右いずれかの角部に配置されており、キー入力部筐体１０４の下端、および側面に面して第二携帯無線端末取り出し口３０８を備える。第二携帯無線端末格納部３０３は、第二携帯無線端末３０２の一部又は全部を格納でき、第二携帯無線端末のいずれかの角部が、第二携帯無線端末取り出し口３０８に面する、又は第二携帯無線端末取り出し口３０８から突出する。
【００４１】
第二携帯無線端末３０２は、端末のいずれかの角部に第一アンテナ素子３０４および第二アンテナ素子３０５を配置し、第一アンテナ素子３０４は上端、第二アンテナ素子３０５は側面に面して配置される。第一アンテナ素子３０４および第二アンテナ素子３０５を配置した角部と対角の角部に第三アンテナ素子３０６および第四アンテナ素子３０７を配置し、第三アンテナ素子３０６は上端、第四アンテナ素子３０７は側面に面して配置される。
【００４２】
第二携帯無線端末３０２を第二携帯無線端末格納部３０３に格納する方向を複数選択可能であり、図３に示すとおりＡ、Ｂの方向で格納できる。Ａの方向で格納する場合には、第一アンテナ素子３０４、および第二アンテナ素子３０５を配置した角部が、第二携帯無線端末取り出し口３０８に面する、又は第二携帯無線端末取り出し口３０８から突出する。Ｂの方向で格納する場合には、第三アンテナ素子３０６、および第四アンテナ素子３０７を配置した角部が、第二携帯無線端末取り出し口３０８に面する、又は第二携帯無線端末取り出し口３０８から突出する。
【００４３】
以上のように、第３の実施の形態によれば、第二携帯無線端末を第一携帯無線端末に格納することができる携帯無線機において、第二携帯無線端末格納部を第一携帯無線端末のキー入力部筐体の下端左右いずれかの角部に配置し、第二携帯無線端末の第一、第二アンテナ素子を角部に配置し、その対角の角部に第三、第四アンテナ素子を配置して、第二携帯無線端末の第一、第二アンテナ素子もしくは第三、第四アンテナ素子のいずれかがキー入力部筐体の下端角部に面する、あるいは突出するように格納方向を選択することによって、第二携帯無線端末が第一携帯無線端末に格納された場合でも、第一、第二アンテナ素子および第三、第四アンテナ素子の性能を選択的に確保することができる。また、第二携帯無線端末の第一、第二、第三、第四アンテナ素子をそれぞれ端末内で離して配置することで、アンテナ間の結合劣化を抑え、端末を取り出して使用する際に、各アンテナの性能を確保することができる。
【００４４】
なお、本実施の形態において、格納方向を判別する手段を設けて、格納する方向によって、第一アンテナ素子３０４、第二アンテナ素子３０５に接続された第一、第二無線システムと、第三アンテナ素子３０６、第四アンテナ素子３０７に接続された第三、第四無線システムとを切り替える機能を有するものであっても良い。
【００４５】
また、本実施の形態において、第三アンテナ素子３０６、第四アンテナ素子３０７を第一アンテナ素子３０４、第二アンテナ素子３０５の配置された角部の対角の角部に配置するものとしたが、それ以外の角部に配置するものとしても良い。その場合、格納方向は、第一アンテナ素子３０４、第二アンテナ素子３０５が配置された角部と、第三アンテナ素子３０６、第四アンテナ素子３０７を配置した角部がキー入力部筐体１０４の下端角部に面する、又は突出するように選択できるものとする。
【００４６】
また、本実施の形態では、第一携帯無線端末３０１と第二携帯無線端末３０２とをそれぞれの近距離無線通信部の無線通信によって接続するものとしたが、コネクタ等を介して有線通信で接続するものとしても良い。
（第４の実施の形態）
次に、本発明の第４の実施の形態について、図４、および５を参照しながら詳細に説明する。図４は、本発明の実施の形態４に係る携帯無線機４００を示すものであり、図５は本発明の実施の形態４における格納方向ＡおよびＤで格納時の各アンテナ配置を示すものである。図４、５において、第１、２、３の実施の形態と同一部分には同一符号を付し、その詳しい説明は省略する。
【００４７】
携帯無線機４００は、第一の実施の形態に示す携帯無線機１００において、第二携帯無線端末４０２を格納時に、第一の近距離無線通信部で使用する第一近距離通信用アンテナ素子４０３と、第二の近距離無線通信部で使用する第二近距離通信用アンテナ素子４０４との距離が近接し、いずれの格納方向でも一定となるように配置したものである。
【００４８】
第一携帯無線端末４０１と、第二携帯無線端末４０２は、第一、および第二の近距離無線通信部によって相互に通信が可能である。
【００４９】
第一近距離通信用アンテナ素子４０３は、キー入力部筐体１０４に配置され、第二携帯無線端末格納部１０６の第二携帯無線端末４０２格納時に第二携帯無線端末の上下端面が近接する側面に面して配置される。
【００５０】
第二近距離通信用アンテナ素子４０４は、第二携帯無線端末４０２のいずれかの上下端面に配置される。
【００５１】
第二携帯無線端末４０２を第二携帯無線端末格納部１０６に格納する方向を複数選択可能であり、図４に示すとおりＡ、Ｄの方向で格納できる。Ａの方向で格納する場合には図５(a)に示すアンテナ配置となり、第一アンテナ素子１０９を配置した側面が、第二携帯無線端末取り出し口１１２に面する、又は第二携帯無線端末取り出し口１１２から突出し、第一近距離通信用アンテナ素子４０３と第二近距離通信用アンテナ素子４０４が近接する。Ｄの方向で格納する場合には図５(a)に示すアンテナ配置となり、第二アンテナ素子１１０を配置した側面が、第二携帯無線端末取り出し口１１２に面する、又は第二携帯無線端末取り出し口１１２から突出し、第一近距離通信用アンテナ素子４０３と第二近距離通信用アンテナ素子４０４が近接する。第一近距離通信用アンテナ素子４０３と第二近距離通信用アンテナ素子４０４との距離は格納方向Ａ、Ｄで同一となる。
【００５２】
以上のように、第４の実施の形態によれば、第二携帯無線端末を第一携帯無線端末に格納することができる携帯無線機において、第二携帯無線端末格納部を第一携帯無線端末のキー入力部筐体の下端中央部に配置し、第一近距離通信用アンテナ素子をキー入力部筐体の第二携帯無線端末格納部の第二携帯無線端末格納時に第二携帯無線端末の上下端面が近接する側面に面して配置し、第二携帯無線端末の第一、および第二アンテナ素子をそれぞれ反対側の側面に配置するとともに上下端面に第二近距離通信用アンテナ素子を配置し、第二携帯無線端末の第一および第二アンテナ素子のいずれかがキー入力部筐体の下端に面する、あるいは突出するように格納方向を選択し、格納時に第一、第二近距離通信用アンテナ素子が近接する構成を採ることにより、第二携帯無線端末が第一携帯無線端末に格納された場合でも、第一および第二アンテナ素子の性能を選択的に確保するとともに、格納時の第一、第二携帯無線端末間の近距離無線通信を安定して行なうことができる。また、第二携帯無線端末の第一アンテナ素子と第二アンテナ素子を端末内で離して配置することで、アンテナ間の結合劣化を抑え、端末を取り出して使用する際に、両アンテナの性能を確保することができる。
【００５３】
なお、本実施の形態において、格納方向を判別する手段を設けて、格納する方向によって、第一アンテナ素子１０９に接続された第一無線システムと、第二アンテナ素子１１０に接続された第二無線システムとを切り替える機能を有するものであっても良い。
【００５４】
また、本実施の形態において、第二携帯無線端末格納部１０６は、キー入力部筐体１０４の下端中央付近に配置したが、例えばキー入力部筐体１０４の下端左右いずれかの側面など、筐体の下端、もしくは側面に面していればいずれの場所でも良い。
（第５の実施の形態）
次に、本発明の第５の実施の形態について、図６、および７を参照しながら詳細に説明する。図６は、本発明の実施の形態５に係る携帯無線機５００を示すものであり、図７は本発明の実施の形態５における第二携帯無線端末５０２の取り付け方法を示すものである。図６、７において、第１、２、３、４の実施の形態と同一部分には同一符号を付し、その詳しい説明は省略する。
【００５５】
携帯無線機５００は、第一の実施の形態に示す携帯無線機１００において、第二携帯無線端末５０２の上下端面に第一アンテナ素子５０３と第二アンテナ素子５０４を配置し、第一携帯無線端末５０１に第二携帯無線端末第一取り付け部５０５、第二携帯無線端末第二取り付け部５０６を配置し、第二携帯無線端末５０２を第一携帯無線端末５０１に取り付け可能にしたものである。
【００５６】
第一携帯無線端末５０１と、第二携帯無線端末５０２は、第一、および第二の近距離無線通信部によって相互に通信が可能である。
【００５７】
第一携帯無線端末５０１の表示部筐体の上端面の左右いずれかの端に第二携帯無線端末第一取り付け部５０５を配置して、第一携帯無線端末５０１の表示部筐体の左右側面いずれかの上端に第二携帯無線端末第二取り付け部５０６を配置する。
【００５８】
第二携帯無線端末５０２を第一携帯無線端末５０１に取り付ける取り付け方を複数選択可能であり、取り付け方Ａでは第一アンテナ素子５０３が第一携帯無線端末５０１から離れるように第二携帯無線端末５０２を第二携帯無線端末第一取り付け部５０５に取り付ける。取り付け方Ｂでは第二アンテナ素子５０４が第一携帯無線端末５０１から離れるように第二携帯無線端末５０２を第二携帯無線端末第二取り付け部５０６に取り付ける。
【００５９】
第二携帯無線端末５０２の取り付け方法として、例えば図７(a),(b),(c)に示すように、レール挿入して取り付ける、磁石で取り付ける、フックで取り付ける、などの方法が挙げられる。
【００６０】
以上のように、第５の実施の形態によれば、第二携帯無線端末を第一携帯無線端末に格納することができる携帯無線機において、第二携帯無線端末の上下端面に第一アンテナ素子と第二アンテナ素子を配置し、第一携帯無線端末に第二携帯無線端末第一取り付け部、第二携帯無線端末第二取り付け部を配置して、第一、第二アンテナ素子が第一携帯無線端末から離れるように第二携帯無線端末を第一携帯無線端末に取り付け可能とすることによって、アンテナ素子周辺の近接物をなくし、第一、第二アンテナ素子の性能を選択的に確保することができる。また、第二携帯無線端末の第一アンテナ素子と第二アンテナ素子を端末内で離して配置することで、アンテナ間の結合劣化を抑え、端末を取り出して使用する際に、両アンテナの性能を確保することができる。
【００６１】
なお、本実施の形態において、保持状態を検出する手段を設けて、取り付け状態によって、第一アンテナ素子５０３に接続された第一無線システムと、第二アンテナ素子５０４に接続された第二無線システムとを切り替える機能を有するものであっても良い。
【００６２】
また、本実施の形態において、第二携帯無線端末格納部１０６は、キー入力部筐体１０４の下端中央付近に配置したが、例えばキー入力部筐体１０４の下端左右いずれかの側面など、筐体の下端、もしくは側面に面していればいずれの場所でも良い。
【００６３】
また、本実施の形態において、第一アンテナ素子５０３は垂直偏波、第二アンテナ素子５０４は水平偏波の無線システムに使用するものとしても良い。
【産業上の利用可能性】
【００６４】
本発明の携帯無線機は、携帯無線端末を格納した場合にも高いアンテナ特性を得られるという効果を有し、例えば携帯無線端末をもう一方の携帯無線端末に格納することができる構成をもった携帯無線機に有用である。
【符号の説明】
【００６５】
１００    携帯無線機
１０１    第一携帯無線端末
１０２    第二携帯無線端末
１０３    表示部筐体
１０４    キー入力部筐体
１０５    ヒンジ部
１０６    第二携帯無線端末格納部
１０７    第一表示部
１０８    キー入力部
１０９    第一アンテナ素子
１１０    第二アンテナ素子
１１１    第二表示部
１１２    第二携帯無線端末取り出し口
【図１】
2011228873.tif 000003
【図２】
2011228873.tif 000004
【図３】
2011228873.tif 000005
【図４】
2011228873.tif 000006
【図５】
2011228873.tif 000007
【図６】
2011228873.tif 000008
【図７】
2011228873.tif 000009
【図８】
2011228873.tif 000010
【図９】
2011228873.tif 000011